(57)【要約】【課題】  直径や外形が不揃いな間伐材などの丸木材を有効活用することができ、また、丸木材同士をどのような交叉角度でも緊結することができ、しかも、丸木材に連結用孔や溝などの加工を施さずに丸木材同士を力学的にも強固に緊結し、長期間にわたって治山構築物の機能を保つことができる、丸木材の連結装置を得る。【解決手段】  少なくとも２本の丸木材（Ａ、Ｂ）の連結装置であって、（ａ）丸木材（Ａ、Ｂ）間に配置されて、丸木材（Ａ、Ｂ）同士の交叉角度（θ）を設定できる角度設定金具（１１、１２）と、（ｂ）この角度設定金具（１１、１２）に連結されて、丸木材（Ａ、Ｂ）の直径や外形に応じて各丸木材（Ａ、Ｂ）を把持する支持金具（２１、２２）と、を備えている。【選択図】      図１
2005146731.tif 000002
【特許請求の範囲】
【請求項１】
少なくとも２本の丸木材の連結装置であって、（ａ）前記丸木材間に配置されて、丸木材同士の交叉角度を設定する角度設定金具と、（ｂ）該角度設定金具に連結されて、前記丸木材の直径や外形に応じて各丸木材を把持する支持金具と、を備えていることを特徴とする丸木材の連結装置。
【請求項２】
前記角度設定金具は、丸木材同士の交叉角度を設定する咬合部と、該咬合部から両側に延設する腕部とを有し、前記咬合部で回転可能に連結していることを特徴とする請求項１に記載の丸木材の連結装置。
【請求項３】
前記支持金具は、前記丸木材に接触する谷斜面を有し、前記丸木材の直径や外形に応じて前記谷斜面の間隔が設定されて、前記丸木材を把持していることを特徴とする請求項１乃至請求項２に記載の丸木材の連結装置。
【請求項４】
前記支持金具は、前記丸木材に接触する谷斜面を粗面にしていることを特徴とする請求項１乃至請求項３に記載の丸木材の連結装置。
【発明の詳細な説明】
【技術分野】
【０００１】
本発明は、丸木材の連結装置に関し、詳しくは、間伐材などで緩衝柵など治山構築物とする場合の丸木材の連結装置に関する。
【背景技術】
【０００２】
傾斜面が崩壊して、岩石や土砂などが道路や民家に多量に流出すると、大きな自然災害を起こすおそれがある。そこで、緩衝柵や土砂受け擁壁などの治山構築物を設け、岩石や土砂の流出エネルギーを吸収して、自然災害を少なくするようにしている。
【０００３】
従来、治山構築物は、コンクリートブロックの積み上げやコンクリートの現場打ちによるものが殆どであった。しかし、コンクリートで製作される治山構築物は、自然環境との調和の点で大きな課題となっている。一方、鋼材で製作される治山構造物もあるが、耐久性は高いものの、鋼材を使用するが故に自然環境との調和において限界がある。また、鋼材で製作される治山構造物は、現地で溶接したりする必要があるので、コスト的に高くなり、また、製作にも熟練を必要とする。
【０００４】
一方で、例えば、特許文献１に開示のように、間伐材などの丸木材を用いて治山構築物とすることも行われている。この特許文献１には、丸太、丸棒、角材などの木製柱状部材に連結用孔を開設して、これをパネル化し、現場に搬入した後、ボルトなどで組み立てて多数個配列する木製法止枠の記載がある。この特許文献１によれば、自然環境との調和と、林業生産において必然的に発生する間伐材の有効活用が図れ、現場での組立が容易となり、道路側面、山腹斜面、渓岸、河岸の安定に適した構造にできるとしている。
【０００５】
また、特許文献２には、柵を構成する樹木を交叉状に連結したり、樹木を補強支持用の支柱で所望の方向から交叉状に連結したりする締付固定具に関し、外側の樹木の外周を囲繞する一対のバンドと、内側の樹木の外側で前記した一対のバンドの各両端部を各別に取着しながら、この両端部を遠近可能に調節する締付調節部とで構成し、一対のバンドのループ部を交叉状に係合させる記載がある。この特許文献２によれば、樹木を簡単かつ安定良く支持することができると共に、樹木の撓みに対応した支持を行うことができるとしている。
【０００６】
【特許文献１】特開２０００−２１２９６７号公報
【特許文献２】特開２００２−１７１８１号公報
【発明の開示】
【発明が解決しようとする課題】
【０００７】
さて、間伐材などの丸木材を用いた土砂流緩衝柵や緩衝土砂受けなどの治山構築物は、間伐材の有効活用の面から、直径や外形などが不揃いなものも用いる必要がある。また、丸木材同士を平行、直交、または斜交して連結しなければならない。さらに、自然災害はいつ発生するかわからないので、丸木材同士を力学的にも強固に緊結した治山構築物として、岩石や土砂の流出エネルギーを吸収できる機能を長期間に渡って保たなければならない。
【０００８】
しかしながら、前述した特許文献１に記載のような木製法止枠は、木製柱状部材に連結用孔を開設しているで、この連結用孔から腐敗が進行し、また連結用孔の部分は強度が弱いので、治山構築物としての機能を長期間にわたって保つことができないおそれがある。
【０００９】
また、特許文献２に記載のような締付固定具は、針金状のバンドと締付調節部の何れも強度が弱く、さらに針金状のバンドが腐食してこれが進行した場合、線が細くなり、また断線して、強度が低下してくる。このため、特許文献２に記載の締付固定具では、緊結強度および耐久性が不足してきて、岩石や土砂の流出エネルギーを吸収できず、治山構築物としての機能を長期間にわたって保つことができないおそれがある。
【００１０】
本発明の課題は、直径や外形が不揃いな間伐材などの丸木材を有効活用することができ、また、丸木材同士をどのような交叉角度でも緊結することができ、しかも、丸木材に連結用孔や溝などの加工を少なくして丸木材同士を力学的にも強固に緊結し、長期間にわたって治山構築物の機能を保つことができる、丸木材の連結装置を得ることにある。
【課題を解決するための手段】
【００１１】
本発明者らは、上記課題について鋭意研究した。その結果、丸木材間に配置されて、丸木材同士の交叉角度を設定できる角度設定金具と、この角度設定金具に連結されて、各丸木材の直径や外形に応じて丸木材を把持する支持金具と、を備える丸木材の連結装置とすることで、上記課題が解決できるとの知見を得、本発明に想到した。
【００１２】
すなわち、本発明の丸木材の連結装置は、少なくとも２本の丸木材の連結装置であって、（ａ）前記丸木材間に配置されて、丸木材同士の交叉角度を設定する角度設定金具と、（ｂ）該角度設定金具に連結されて、前記丸木材の直径や外形に応じて各丸木材を把持する支持金具と、を備えていることを特徴とする。上記角度設定金具と支持金具により、平行、直交、斜交など、その交叉角度を種々変えることができ、かつ、直径や外形が不揃いな丸木材同士を緊結することができる。
【００１３】
本発明において、前記角度設定金具は、丸木材同士の交叉角度を設定する咬合部と、該咬合部から両側に延設する腕部とを有し、前記咬合部で回転可能に連結していることが好ましい。咬合部で、平行、直交、斜交など、丸木材同士の交叉角度を種々設定することができ、かつ、腕部で、支持金具を連結することができる。
【００１４】
本発明において、前記支持金具は、前記丸木材に接触する谷斜面を有し、前記丸木材の直径や外形に応じて前記谷斜面の間隔が設定されて、前記丸木材を把持していることが好ましい。これにより、直径や外形が不揃いな丸木材同士を、丸木材連結用孔や溝などの加工を行わずに緊結することができる。
【００１５】
本発明において、前記支持金具は、丸木材に接触する谷斜面を粗面にしていることが好ましい。粗面にする手段としては、間隔をおいて小突起を設けるのが良い。これにより、丸木材との接触面積を拡大し、また摩擦係数を向上し、外的入力があった場合に丸木材の滑りを抑えることができる。
【発明の効果】
【００１６】
本発明の丸木材の連結装置は、直径や外形が不揃いな間伐材などの丸木材を有効活用することができ、また、丸木材同士をどのような交叉角度でも緊結することができ、しかも、丸木材に連結用孔や溝などの加工を行わずに丸木材同士を力学的にも強固に緊結し、長期間にわたって治山構築物の機能を保つことができる。
【発明を実施するための最良の形態】
【００１７】
次ぎに、一実施例を、図面に基づき詳細に説明する。
【実施例１】
【００１８】
図１は、実施例１での、直径や外形が不揃いな２本の間伐材からなる丸木材Ａ、Ｂを平行に緊結する連結装置であり、（ａ）は斜視図、（ｂ）は平面図、（ｃ）は組み立て中の断面図、（ｄ）は（ｃ）の側面図を示す。図１（ａ）〜（ｄ）で、丸木材Ａ、Ｂの連結装置は、丸木材Ａ、Ｂの間に配置されて、丸木材Ａ、Ｂ同士の交叉角度（θ）を設定できる角度設定金具１１、１２と、この角度設定金具１１、１２に各々連結されて、丸木材Ａ、Ｂの直径や外形に応じて丸木材Ａ、Ｂを把持する支持金具２１、２２および把持金具３１、３２と、を備えている。
【００１９】
そして、角度設定金具１１、１２は、中央部に丸木材Ａ、Ｂ同士の交叉角度（θ）を設定する咬合部１１ａ、１２ａと、この咬合部１１ａ、１２ａから両側に延設する腕部１１ｂ、１１ｂ、１２ｂ、１２ｂとを有し、咬合部１１ａ、１２ａで互いに回転可能に連結している。
【００２０】
また、角度設定金具１１、１２は、咬合部１１ａ、１２ａを１５°（度）刻みの山谷を有するカービックカップリング状のカップリングで形成し、交叉角度（θ）を０（零）度に設定している。
【００２１】
支持金具２１、２２は、同じ形状寸法で、丸木材Ａ、Ｂに接触する谷斜面２１ａ、２２ａを有し、丸木材Ａ、Ｂの直径や外形に応じて谷斜面２１ａ〜２１ａの間隔（Ｌ１）、谷斜面２２ａ〜２２ａの間隔（Ｌ２）を設定し、把持金具３１、３２により、丸木材Ａ、Ｂを把持している。
【００２２】
また、支持金具２１、２２は、丸木材Ａ、Ｂに接触する谷斜面２１ａ、２２ａに多数の小突起を形成して粗面にし、丸木材Ａ、Ｂを緊結後にズレが発生し難いようにしている。
【００２３】
咬合部１１ａ、１２ａは、各々、腕部１１ｂ、１２ｂから僅かに突出させ、交叉角度（θ）を設定する場合に、腕部１１ｂ、１２ｂが干渉しないようにしている。
【００２４】
角度設定金具１１、１２の腕部１１ｂ、１２ｂには、各々、ボルト４０ｂを挿通する長孔１１ｃ（１２ｃ、図示せず）を形成し、支持金具２１、２２には、角度設定金具１１、１２の各腕部１１ｂ、１２ｂが挿通する嵌入孔２１ｂ、２２ｂと、ボルト４０ｂが螺合する雌ねじ２１ｃ（２２ｃ、図示せず）を形成している。一方、挟持金具３１、３２は、角度設定金具１１（１２）と支持金具２１（２２）を流用しており、丸木材Ａ、Ｂの直径や外形にあわせ、ボルト４０ｂで組み立てている。なお、衝撃吸収部材である角度設定金具１１、１２と支持金具２１、２２は、引張強さと伸びを有する球状黒鉛鋳鉄［（ＪＩＳ）ＦＣＤ４５０］で製作している。
【００２５】
次ぎに、丸木材Ａ、Ｂの連結手順の一例を、図１（ｃ）を用いて説明する。先ず、図示で上下２個の角度設定金具１１、１２の咬合部１１ａ、１２ａの交叉角度（θ）を、丸木材Ａ、Ｂが平行になるように咬合させ、ボルト・ナット４０ａで固定する。次いで、各角度設定金具１１、１２の左右の腕１１ｂ、１１ｂ、１２ｂ、１２ｂに、計４個の支持金具２１、２２を嵌入孔２１ｂ、２２ｂをあわせて挿入、丸木材Ａ、Ｂの直径や外形が各谷斜面２１ａ、２２ａに接触する位置までスライドさせて、谷斜面２１ａ〜２１ａの間隔（Ｌ１）、谷斜面２２ａ〜２２ａの間隔（Ｌ２）を設定し、各ボルト４０ｂで固定する。次いで、丸木材Ａ、Ｂを谷斜面２１ａ、２２ａで支持し、各挟持金具３１、３２で丸木材Ａ、Ｂを各々挟持し、ボルト・ナット４０ｃで固定する。この連結装置により、直径や外形が不揃いな間伐材からなる丸木材Ａ、Ｂであっても、丸木材Ａ、Ｂに連結用孔や溝などの加工を施さず、平行でかつ強固に緊結することができる。
【実施例２】
【００２６】
図２は、実施例２での、直径や外形が不揃いな２本の間伐材からなる丸木材Ａ、Ｂを直交または斜交して緊結する連結装置の一部を組み立て中の断面図を含む側面図である。図３は、実施の形態２の連結装置を用いた、丸木材ＡとＢを互いに直交、丸木材ＢとＣを互いに斜交して緊結する治山構築物の一例の簡略図である。図２および図３に示す丸木材の連結装置は、前述した実施の形態１と同じ部品（同符号で示す）を用い、上下２個の角度設定金具１１、１２の咬合部１１ａ、１２ａの交叉角（θ）を、丸木材ＡとＢは直交に、また丸木材ＢとＣは斜交するように咬合させ、ボルト・ナット４０ａで固定し、そのほかは実施の形態１と同様に連結している。この連結装置により、直径や外形が不揃いな丸木材Ａ、Ｂ、Ｃであっても、丸木材Ａ、Ｂに連結用孔や溝などの加工を施さず、直交または斜行させかつ強固に緊結して、耐久性のある治山構築物とすることができる。
【産業上の利用可能性】
【００２７】
本発明の丸木材の連結装置は、治山構築物のほか、河川や海の護岸の柵や枠体、道路の枠などにも適用できる。
【図面の簡単な説明】
【００２８】
【図１】実施例１での、２つの丸木材Ａ、Ｂを平行に緊結する連結装置であり、（ａ）は斜視図、（ｂ）は平面図、（ｃ）は組み立て中の断面図、（ｄ）は（ｃ）の側面図を示す。
【図２】実施例２での、２つの丸木材Ａ、Ｂを直交または斜交して緊結する連結装置の一部を組み立て中の断面図を含む側面図である。
【図３】実施例２の連結装置を用いた、丸木材ＡとＢを互いに直交、丸木材ＢとＣを互いに斜交して緊結する治山構築物の一例の簡略図である。
【符号の説明】
【００２９】
１１、１２：角度設定金具
１１ａ、１２ａ：咬合部（カップリング）
１１ｂ、１２ｂ：腕部
１１ｃ、１２ｃ：長孔
２１、２２：支持金具
２１ａ、２２ａ：谷斜面
２１ｂ、２２ｂ：嵌入孔
２１ｃ、２２ｃ：雌ねじ
３１、３２：挟持金具
４０ａ、４０ｃ：ボルト・ナット
４０ｂ：ボルト
Ａ、Ｂ、Ｃ：丸木材（間伐材）
Ｌ１、Ｌ２：間隔
θ：交叉角度
【図１】
2005146731.tif 000003
【図２】
2005146731.tif 000004
【図３】
2005146731.tif 000005